(57)【特許請求の範囲】
【請求項１】
デコード装置を特定する識別番号を記憶している第１記憶部と、
入力された情報信号をデコードして出力するデコード制御部と
を備えたデコード装置と、
前記デコード装置を特定する複数の前記識別番号と、前記識別番号ごとに対応した異なる操作命令を記憶している第２記憶部と、
デコード装置ごとに用意されて、前記複数のデコード装置と個別に接続させる複数のスイッチと、
前記スイッチの制御で、前記複数のデコード装置を順に個別に接続させて、前記第１記憶部に記憶してある前記識別番号を読み取って、前記第２記憶部に記憶させる制御を行うと共に、外部から映像表示命令が供給されて、その映像表示命令で特定の前記デコード装置の前記識別番号が認知された場合に、その認知された特定のデコード装置に対応して前記第２記憶部に記憶された前記操作命令を呼び出し、前記特定のデコード装置を制御し、前記特定のデコード装置から送られてくる映像を表示させる制御を行うコントロール制御部と
を備えた表示装置と
を有した表示制御装置。
【発明の詳細な説明】
【０００１】
【発明の属する技術分野】
本発明は、表示制御装置の改良、特に、表示装置に接続された複数のデコード装置を制御する表示制御装置に関するものである。
【０００２】
【従来の技術】
近年、地上波によるテレビジョン放送方式のほかに、衛星放送に代表されるようにデジタルテレビジョン放送が発達してきている。そして、デジタルテレビジョン放送は、地上波、ケーブルテレビ（ＣＡＴＶ）、衛星放送等いろいろな新規ソースに導入されている。ここで、デジタルテレビジョン放送においても多くの方式が提案されていて、特に日本では５種類の放送方式が標準方式として取り上げられている。
【０００３】
このように、異なるテレビジョン放送方式が共存するため、ユーザは各テレビジョン放送方式に対応したデコード装置が必要となる。すなわち、ユーザが各ネットワークで提供されているコンテンツを利用する場合には、各ネットワークごとに別々のフォーマットで送られた信号をそれぞれデコード（復号化）して、所定の信号フォーマットに変換した後、テレビ受像機等の表示装置に出力することが必要となる。
【０００４】
【発明が解決しようとする課題】
上述したように、ユーザは、各デジタルテレビジョン放送からそれぞれ必要なコンテンツを取得する場合、各放送方式ごとにデコードが必要となっている。たとえば、ユーザがケーブルテレビと衛星放送の双方のコンテンツを利用したい場合、ＣＡＴＶと衛星放送のデコードをそれぞれ表示装置に接続する必要がある。そして、ユーザがコンテンツを変更する場合には、ケーブルテレビ及び衛生放送のデコード装置をそれぞれ操作する必要があり、いわゆるシームレスな操作を行うことができないという問題がある。
【０００５】
そこで本発明は上記課題を解消し、ユーザインターフェイスを向上させ、シームレスな操作を可能にする表示制御装置を提供することを目的としている。
【０００６】
【課題を解決するための手段】
上記目的は、本発明にあっては、デコード装置を特定する識別番号を記憶している第１記憶部と入力された情報信号をデコードして出力するデコード制御部とを備えたデコード装置と、デコード装置を特定する複数の前記識別番号と、前記識別番号ごとに対応した異なる操作命令を記憶している第２記憶部と、デコード装置ごとに用意されて複数のデコード装置と個別に接続させるスイッチと、スイッチの制御で複数のデコード装置を順に制御させて、第１記憶部に記憶してある識別番号を読み取って、第２記憶部に記憶させる制御を行うと共に、外部から映像表示命令が供給されて、その映像表示指令で特定の前記デコード装置の前記識別番号が認知された場合に、その認知された特定のデコード装置に対応して第２記憶部に記憶された操作命令を呼び出し、特定のデコード装置を制御し、前記特定のデコード装置から送られてくる映像を表示させる制御を行うコントロール制御部とを備えた制御装置を有することにより、達成される。
【０００８】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【０００９】
図１は本発明の表示制御装置の好ましい実施の形態を示す構成図であり、図１を参照して表示制御装置１０について説明する。
表示制御装置１０は、表示装置２０と複数のデコード装置３０、４０、５０を有している。表示装置２０と各デコード装置３０、４０、５０は、それぞれスイッチＳＷ１、ＳＷ２、ＳＷ３を介してたとえばＩ2 Ｃバスにより接続されている。そして、表示装置２０は、各デコード装置３０、４０、５０から送られてくる信号に基づいて映像又は音声を出力する機能を有している。なお、図１において表示装置２０には３つのデコード装置３０、４０、５０が接続されているが、２つ以上のデコード装置が接続されていればよい。
【００１０】
各デコード装置３０、４０、５０は、それぞれデコード制御部３１、４１、５１、第１記憶部３２、４２、５２等を有している。デコード制御部３１、４１、５１は、それぞれ入力された入力信号を復号（デコード）して出力する機能を有している。
また、第１記憶部３２、４２、５２は、それぞれ各デコード装置３０、４０、５０の識別番号である機種名Ａ、Ｂ、Ｃを所定のアドレスに記憶している。ここで、識別番号は機種名に限られず、各デコード装置３０、４０、５０に対応した固有の情報であればよい。
【００１１】
表示装置２０は、コントロール制御部２１、スイッチ２２、２３、２４、第２記憶部２５等から構成されている。コントロール制御部２１は、各デコード装置３０、４０、５０の機種名Ａ、Ｂ、Ｃを読み取るとともに、読み取った機種名Ａ、Ｂ、Ｃをそれぞれ第２記憶部（ＮＶＭメモリ）２５に記憶する機能を有している。なお、コントロール制御部２１は、外部からの映像表示指令を受け取ると動作を開始するようになっている。
【００１２】
第２記憶部２５には、各デコード装置３０、４０、５０に対応した複数の操作命令ＣＭが記憶されている。そして、コントロール制御部２１は、第２記憶部２５に記憶されている機種名Ａ、Ｂ、Ｃに基づいて、各デコード装置３０、４０、５０に対応した操作命令ＣＭ及び相互通信プロトコルで各デコード装置３０、４０、５０の制御を行う。
スイッチ２２、２３、２４は、コントロール制御部２１によって制御されており、各スイッチ２２、２３、２４は、それぞれデータスイッチ２２ａ、２３ａ、２４ａとクロックスイッチ２２ｂ、２３ｂ、２４ｂを有している。
【００１３】
次に、図１を参照して表示制御装置１０の動作例について説明する。
まず、コントロール制御部２１がスイッチ２２をＯＮ状態にして、スイッチ２３、２４をそれぞれＯＦＦ状態にする。すると、コントロール制御部２１は、デコード装置３０のみと導通していて、デコード装置４０、５０とは非導通の状態となる。その後、コントロール制御部２１が、デコード装置３０の第１記憶部３２に記憶されている機種名Ａを読み取り、読みとった機種名を第２記憶部２５に記憶させる。
【００１４】
次に、コントロール制御部２１は、スイッチ２３をＯＮ状態にしてスイッチ２２、２４をＯＦＦ状態にする。すると、コントロール制御部２１は、デコード装置４０のみと導通していて、デコード装置３０、５０とは導通していない（非導通）状態となる。その後、コントロール制御部２１は、デコード装置４０の第１記憶部４２から機種名Ｂを読みとり、第２記憶部２５に記憶させる。同様に、コントロール制御部２１は、スイッチ２４をＯＮ状態してスイッチ２２、２３をＯＦＦ状態にする。そして、コントロール制御部２１は、デコード装置５０の第１記憶部５２から機種名Ｃを読みとり、第２記憶部２５に記憶させる。
【００１５】
その後、コントロール制御部２１は映像表示命令を受信すると、機種名Ａ、Ｂ、Ｃのデータに基づいて各デコード装置３０、４０、５０に対応した相互通信プロトコルにより所定のデータフォーマットで各デコード装置３０、４０、５０を制御する。このとき、デコード装置３０、４０、５０への操作命令ＣＭの振り分けは、スイッチ２２、２３、２４のＯＮ／ＯＦＦによって制御しても良いし、スレーブアドレスだけで操作命令ＣＭの振り分けをしても良い。
【００１６】
このように、表示装置２０のコントロール制御部２１は、各デコード装置３０、４０、５０の機種名Ａ、、Ｂ、Ｃを認知することで、相互通信ソフトプロトコルの約束ソフトを参照し、シームレスな動作が可能となる。すなわち、コントロール制御部２１は、各デコード装置３０、４０、５０に対応した相互通信ソフトプロトコル及び操作命令ＣＭで各デコード装置３０、４０、５０の制御を行うこととなる。このように、コントロール制御部２１が異なるデータフォーマットのシステムにそれぞれ対応することにより、シームレスな操作が可能となる。
【００１７】
上記実施の形態によれば、複数のデコード装置をテレビ受像機に接続した場合に、各デコード装置３０、４０、５０の機種名Ａ、Ｂ、Ｃをコントロール制御部２１が認識して、各デコード装置３０、４０、５０との相互通信プロトコルを決定することで、デコード装置３０、４０、５０が複数台つながれても、シームレスな操作が可能となる。具体的には、ユーザは各情報通信サービスごとに異なるネットワーク及びメディアを意識することなく情報通信サービスを利用することができるため、ユーザの利便性を確保することができる。
また、機種名Ａ、Ｂ、Ｃを第１記憶部３２、４２、５２の所定のアドレスに記憶させておくことにより、コントロール制御部２１は、所定のアドレスから情報を取得すれば機種名Ａ、Ｂ、Ｃを取得することができるので、各デコード装置３０、４０、５０ごとに機種名Ａ、Ｂ、Ｃを検索する必要がなくなる。
【００１８】
【発明の効果】
以上説明したように、本発明によれば、シームレスな操作が可能となる表示制御装置を提供することができる。
【図面の簡単な説明】
【図１】本発明の表示制御装置の好まし実施の形態を示す構成図。
【符号の説明】
１０・・・表示制御装置、２０・・・表示装置、２１・・・コントロール制御部、２５・・・第２記憶部３０、４０、５０・・・デコード装置、３１、４１、５１・・・デコード制御部、３２、４２、５２・・・第１記憶部、Ａ、Ｂ、Ｃ・・・機種名（識別番号）、ＣＭ・・・操作命令。
【図１】
0004277379.tif 000002